(57)【特許請求の範囲】
【請求項１】
傾斜した屋根部上に植栽部を設け、前記植栽部の土を受け止める受止部を、前記屋根部の傾斜下手部に設けてある建物であって、
前記受止部は、前記屋根部の傾斜下手部における屋根勾配より急勾配に形成した傾斜面部を介して前記屋根部の傾斜下手部に連設してある建物。
【請求項２】
前記屋根部上に、防水層を設け、前記防水層上に、前記植栽部の土の移動に抵抗自在な抵抗手段を設けてある請求項１に記載の建物。
【請求項３】
前記植栽部中の水を排出自在な水抜き穴部を、前記受止部に設けてある請求項１又は２に記載の建物。
【発明の詳細な説明】
【０００１】
【発明の属する技術分野】
本発明は、傾斜した屋根部上に植栽部を設け、前記植栽部の土を受け止める受止部を、前記屋根部の傾斜下手部に設けてある建物に関する。
【０００２】
【従来の技術】
従来、この種の建物としては、図５に示すように、屋根部Ｂ２を所定の角度に傾斜した平面で構成し、前記植栽部Ｓの土１を受け止める受止部２０は、前記屋根部Ｂ２の傾斜下手縁部から屋根部上面に張り出し状態に形成した立ち上がり壁部２１で構成してあるものがあった。また、植栽部Ｓには、屋根への荷重を必要最小限度に抑えることを考慮して植栽の育成に必要な最小限度の厚みに土１を充填してあった。
【０００３】
【発明が解決しようとする課題】
上述した従来の建物によれば、図５に示すように、建物に近い位置から前記屋根部Ｂ２を見上げた場合に、前記立ち上がり壁部２１ばかりが目について肝心の植栽部Ｓが見え難く、せっかく設けられた植栽部Ｓの美しさを生かし難いという問題点があった。
また、これを解決するために植栽部の土壌層の表面勾配が屋根部勾配より急になるように盛り上げて、建物に近い位置からでも植栽部を観賞し易くすることが考えられるが、この場合は、充填する土の量が多量になるから屋根部上への荷重が増加し、屋根部の構造を強化することが必要となり、結果的にはコストアップにつながるという新たな問題が生じる。
【０００４】
従って、本発明の目的は、上記問題点を解消し、屋根部への荷重の増加を抑制できながら、建物に近い位置から屋根部を見上げた場合でも植栽部を観賞し易くし、美観性の向上を図れる建物を提供するところにある。
【０００５】
【課題を解決するための手段】
〔構成〕
請求項１の発明の特徴構成は、図２・３・４に例示するごとく、傾斜した屋根部Ｂ２上に植栽部Ｓを設け、前記植栽部Ｓの土１を受け止める受止部３を、前記屋根部Ｂ２の傾斜下手部２に設けてある建物において、前記受止部３は、前記屋根部Ｂ２の傾斜下手部２における屋根勾配より急勾配に形成した傾斜面部Ｋを介して前記屋根部Ｂ２の傾斜下手部２に連設してあるところにある。
【０００６】
請求項２の発明の特徴構成は、図２・３・４に例示するごとく、前記屋根部Ｂ２上に、防水層４を設け、前記防水層４上に、前記植栽部Ｓの土の移動に抵抗自在な抵抗手段５を設けてあるところにある。
【０００７】
請求項３の発明の特徴構成は、図２・４に例示するごとく、前記植栽部Ｓ中の水を排出自在な水抜き穴部９を、前記受止部３に設けてあるところにある。
【０００８】
尚、上述のように、図面との対照を便利にするために符号を記したが、該記入により本発明は添付図面の構成に限定されるものではない。
【０００９】
〔作用及び効果〕
請求項１の発明の特徴構成によれば、前記受止部は、前記屋根部の傾斜下手部における屋根勾配より急勾配に形成した傾斜面部を介して前記屋根部の傾斜下手部に連設してあるから、植栽部の土を前記受止部で受け止めて屋根部からズレ落ちるのを防止しながら、植栽部の土を盛り上げなくても前記傾斜面部上の土壌表面を屋根勾配より急勾配にすることが可能となる。その結果、前記急勾配の土壌表面（植栽表面）を、建物に近い位置から見上げても容易に観賞することが可能となり、建物の美観性を向上させることが可能となる。
また、それでいながら、植栽部の土を盛り上げる必要が無く、屋根部への荷重の増加を抑制することも可能となる。
その結果、大きなコストアップを図らずに建物の美観性を向上させることが可能となる。
【００１０】
請求項２の発明の特徴構成によれば、請求項１の発明による作用効果を叶えることができるのに加えて、前記屋根部上に、防水層を設け、前記防水層上に、前記植栽部の土の移動に抵抗自在な抵抗手段を設けてあるから、前記防水層によって植栽部から建物下方への水の浸入を防止しながら、前記抵抗手段によって植栽部の土のズレ落ちを抑制することが可能となり、前記受止部での土の受止荷重を減少させ、前記受止部のコンパクト化を図ることが可能となる。
その結果、前記受止部をより目立ち難くして、美観性を更に向上させることが可能となる。
【００１１】
請求項３の発明の特徴構成によれば、請求項１又は２の発明による作用効果を叶えることができるのに加えて、前記植栽部中の水を排出自在な水抜き穴部を、前記受止部に設けてあるから、植栽部中の水が屋根部の傾斜下手部に集まったまま滞留するのを防止し易く、適度な水はけを植栽部に期待することが可能となる。
また、例えば、降雨や植栽への水やりによって植栽部中に水が満水状態になれば、受止部を乗り越えて水や土が溢れ落ちるわけであるが、その減少をも、前記水抜き穴部によって抑制することが可能となる。
【００１２】
【発明の実施の形態】
以下に本発明の実施の形態を図面に基づいて説明する。尚、図面において従来例と同一の符号で表示した部分は、同一又は相当の部分を示している。
【００１３】
図１〜２は、当該発明の建物の一実施形態を示すものである。
本実施形態の建物Ｂは、建物本体部Ｂ１と、その上に形成した傾斜屋根躯体部（屋根部に相当し、以後単に屋根躯体部という）Ｂ２とを一体的に構成した鉄筋コンクリート造の建物である。
【００１４】
前記屋根躯体部Ｂ２は、図２に示すように、建物Ｂから離れた位置から見て上面部（後述する植栽部）が見える程度に傾斜させて構成してある。
また、前記屋根躯体部Ｂ２上には、土１を入れた植栽部Ｓを設けてあり、この植栽部Ｓの草木を、建物Ｂから離れた位置で観賞できるように構成してある。
そして、前記屋根躯体部Ｂ２の傾斜下手部２には、前記植栽部Ｓの土１を受け止める受止部３を連設してある。
【００１５】
一方、前記屋根躯体部Ｂ２上には、塩化ビニル製の防水シート（防水層に相当）４を設置してあり、更にその上には、前記土１を担持させてズレ落ちを防止し易くすることが可能な合成樹脂製の網状マット（抵抗手段に相当）５を接着してある。従って、網状マット５上に位置させた土１の一部が網状マット５の間隙に入り込むことで、土の滑り落ちを防止することが可能となり、前記受止部３に対する土の荷重を軽減させることができる。また、網状マット５の固定力は、前記防水シート４を介して屋根躯体部Ｂ２で確保される。
因みに、前記防水シート４は、屋根躯体部Ｂ２に固定された塩ビ固定用の金属バー６によって取り付け固定してあり、隣接するシートどうしは溶着によって確実に一体化を図ってある。従って、前記土１の滑り落ち力を、屋根全体で受けて安定保持できるように構成されているわけである。
また、防水シート４に塩化ビニルを使用してあることによって、適度な強度を確保することが可能となり、植栽の根の貫通防止をも図ることが可能となる。
【００１６】
前記網状マット５は、二層構造に形成してあり、前記防水シート４側の第一層５ａは、不織布で構成してあり、他の第二層５ｂは、ポリオレフィン系の繊維材を厚みのある網形状に配置して一体化を図ってある。
【００１７】
前記屋根躯体部Ｂ２について、更に詳しく説明すると、傾斜下手部２の下端部分は、その上面部２ａが、急勾配になるように形成してある。そして、傾斜下手部２の下端縁部には、前記受止部３を構成する受止金具７がアンカーボルト８によって固定してある。
前記受止金具７は、図に示すように、断面形状が『Ｕ』字形状の樋状板金部材で構成してある。そして、『Ｕ』字断面の一方の側壁７ａは、前記傾斜下手部２の下端縁部に沿わせて固定してあり、この側壁７ａも、前記傾斜下手部２の下端上面部２ａと同様に、傾斜下手部２の屋根勾配より急勾配に形成してある。この傾斜下手部下端の上面部２ａと、受止金具７の一方の側壁７ａとによって傾斜面部Ｋは構成してある。
そして、受止金具７の他方の側壁７ｂ、及び、底部７ｃによって前記土１を受け止めている。
また、前記他方の側壁７ｂには、植栽部Ｓ中の水を排出自在な網付き水抜き穴部９を、長手方向に間隔をあけて複数箇所に設けてある。
更に、前記受止金具の下方側には、前記水抜き穴部９から排水された水を流すための樋１０を取り付けてある。この樋１０の開口には、前記植栽部Ｓの傾斜勾配とほぼ同じ勾配になるようにメッシュ蓋１１を取り付けてある。そして、樋１０には、長手方向に間隔をあけて複数の縦樋（不図示）が接続してある。
【００１８】
また、前記植栽部Ｓは、前記網状マット５上に吹き付けによって土１を充填して形成し、その土に、当該実施形態に於いては、芝を貼ってある。従って、あたかも、茅葺き屋根の如くに観賞することが可能となる。しかも、その色は、季節によって、新緑色から茶褐色と変化し、建物の意匠性を向上させることが可能となる。
【００１９】
当該実施形態で説明した建物Ｂによれば、屋根躯体部Ｂ２上に位置させた土は、前記網状マット５や、受止金具７によってずり落ちない状態に保持されながら、前記傾斜面部Ｋ上の植栽部Ｓ表面は、他の部分より急勾配となり、建物Ｂに近い位置から見上げて容易に観賞することが可能となる。従って、建物としての良好な美観性を確保することが可能となる。そして、屋根躯体部Ｂ２上にほぼ同じ厚みで土を盛った状態で上述の効果を期待することができるので、屋根躯体部Ｂ２への上載荷重がほぼ均等になり、余分な補強を必要としない。
【００２０】
〔別実施形態〕
以下に他の実施の形態を説明する。
【００２１】
〈１〉  建物の構造は、先の実施形態で説明した鉄筋コンクリート造に限るものではなく、例えば、鉄骨造や、鉄骨鉄筋コンクリート造、又は、木造、及び、それらの複合構造等、公知の建築構造を採用することが可能である。
〈２〉  受止部は、先の実施形態で説明したように、屋根部とは別体の金物で形成してあるものに限るものではなく、例えば、屋根部と一体的に構成してあってもよい。
また、傾斜面部は、先の実施形態で説明した傾斜下手部下端の上面部２ａと、受止金具７の一方の側壁７ａとによって構成するものに限るものではなく、例えば、受止金具７の一方の側壁７ａのみによって構成するものであってもよい。また、受止部、及び、傾斜面部の関係は、例えば、図３に示すような形態をとることも可能である。
〈３〉  抵抗手段は、先の実施形態で説明した網状マット５に限るものではなく、例えば、図４に示すように、屋根上面に突出させた突出部１２によって構成するものであってもよい。
〈４〉  植栽部には、先の実施形態で説明したように芝を貼ってあるものに限るものではなく、例えば、他の草木でもって構成してあってもよい。
【図面の簡単な説明】
【図１】建物を示す部分斜視図
【図２】屋根部の詳細を示す断面図
【図３】別実施形態の屋根を示す断面図
【図４】別実施形態の屋根を示す断面図
【図５】従来例の建物を示す部分断面図
【符号の説明】
１    土
２    傾斜下手部
３    受止部
４    防水層
５    抵抗手段
９    水抜き穴部
Ｂ２  屋根部
Ｋ    傾斜面部
Ｓ    植栽部
【図１】
0003710284.tif 000002
【図２】
0003710284.tif 000003
【図３】
0003710284.tif 000004
【図４】
0003710284.tif 000005
【図５】
0003710284.tif 000006